(57)【要約】【課題】突出部１２を有するような定形外の収納物を隠すことなく、かつ収納袋２内で一定の姿勢で保持し得る保持部材３を提供することをその主たる所期の課題としたものである。【解決手段】収納物本体１１とその収納物本体１１の辺部１１１ａから突出する突出部１２とを備えた収納物１とともに、少なくとも一部が透明な収納袋２に外観可能に収納されるものであって、収納物本体１１における前記辺部１１１ａの一定領域に接触又は近接する本体接触部位と、前記辺部に対向する部位であって前記収納袋２の辺部内面２ａの一定領域に接触又は近接する袋接触部位とを有する規制部５を具備し、その規制部５が前記突出部１２を所定方向から外観して隠さない位置に配置されるようにした。【選択図】図１
2004010140.tif 000002
【特許請求の範囲】
【請求項１】
収納物本体とその収納物本体の辺部から突出する突出部とを備えた収納物とともに、少なくとも一部が透明な収納袋に外観可能に収納されるものであって、
収納物本体における前記辺部の一定領域に接触又は近接する本体接触部位と、前記辺部に対向する部位であって前記収納袋の辺部内面の一定領域に接触又は近接する袋接触部位とを有する規制部を具備し、その規制部が前記突出部を所定方向から外観して隠さない位置に配置されていることを特徴とする保持部材。
【請求項２】
収納物の面板部と前記収納袋との間に収納される台紙体を備え、前記規制部をこの台紙体に一体に設けてなるものである請求項１記載の保持部材。
【請求項３】
前記台紙体が収納袋内に略移動不能に収納されるものである請求項２記載の保持部材。
【請求項４】
収納袋の表側及び裏側のいずれ側からみても、前記突出部の少なくとも一部が外観し得るように設定している請求項１、２又は３記載の保持部材。
【請求項５】
一枚の所定形状をなすシート状基材を、その所要箇所において折り曲げることにより形成している請求項請求項１、２、３又は４記載の保持部材。
【請求項６】
前記突出部が可撓性を有するものである請求項１、２、３、４又は５記載の保持部材。
【発明の詳細な説明】
【０００１】
【発明の属する技術分野】
本発明は、台紙等のように、収納袋に収納物とともに収納されてその収納物の陳列、展示を補助したり、収納袋の形状を保つために用いる保持部材に関するものである。
【０００２】
【従来の技術】
従来、例えばファイルやファイルカバーなどの製品を、透明なビニール袋等に入れて売り場に陳列、展示することがしばしば行われている。その際、製品の裏側に台紙を一緒に入れ、その台紙によって収納袋の形状を保たせたり、台紙に例えば製品名や機能等を印刷表示したりしたものも知られている。
【０００３】
すなわちこのような台紙は、製品を隠すことなく、見栄えをよりよくしたり、製品の宣伝を表示させたりして、需要者の興味を引き購買意欲を向上させるため等に用いられる。
【０００４】
【発明が解決しようとする課題】
しかしながら、前記製品が矩形板状など定形型のものであれば、収納袋をその製品と同じくらいの大きさ及び形状のものにして、製品を前記収納袋内に大きな遊びなく好適に収納できるものの、例えば、製品がその辺部から突出する突出部を有したような形状であると、収納袋内での製品の保持が難しくなる。すなわち、収納袋の大きさをその突出部をも収納し得るようなものとせざるを得ず、突出部を有する辺部と、その辺部に対向する前記収納袋の辺部内面との間に大きな隙間ができる。そして、その隙間によって収納袋内で製品が動き得ることとなり、収納姿勢が斜めになるなど、収納袋毎に製品の姿勢が異なるものとなり得る。
【０００５】
その結果、収納袋に入れて陳列した商品の整然さが失われ、見栄えに悪影響を及ぼす虞が生じ、特に突出部がある程度可撓性を有するものの場合には、製品がより動きやすくなってその傾向が顕著となる。
【０００６】
もちろん、台紙にテープ等で製品を固定してしまうことも考えられるが、このようなものでは、製品にテープ跡が残ったり、テープそのものが外観に悪影響を及ぼしたりして好ましいものではない。
【０００７】
本発明は、このような実情に鑑みてなされたものであって、突出部を有するような定形外の収納物を隠すことなく、かつ収納袋内で一定の姿勢で保持し得る保持部材を提供することをその主たる所期の課題としたものである。
【０００８】
【課題を解決するための手段】
すなわち、本発明に係る保持部材は、収納物本体とその収納物本体の辺部から突出する突出部とを備えた収納物とともに、少なくとも一部が透明な収納袋に外観可能に収納されるものであって、収納物本体における前記辺部の一定領域に接触又は近接する本体接触部位と、前記辺部に対向する部位であって前記収納袋の辺部内面の一定領域に接触又は近接する袋接触部位とを有する規制部を具備し、その規制部が前記突出部を所定方向から外観して隠さない位置に配置されていることを特徴とするものである。
【０００９】
このようなものであれば、収納物に突出部があることにより生じる隙間、すなわち突出部を有する辺部とその辺部に対向する前記収納袋の辺部内面との間に規制部が介在することとなるので、前記収納物の収納袋内での動きが規制され、当該収納物を収納袋内で一定の姿勢で保持し得る。また、単に規制部が介在するだけであるので収納物にテープ跡が残ったりすることもない。さらに規制部が前記突出部を所定方向から外観して隠さないため、例えば突出部に特徴あるような収納物において需要者へのアピールを阻害することなく特に好適なものとなる。
【００１０】
具体的実施態様としては、収納物の面板部と前記収納袋との間に収納される台紙体を備え、前記規制部をこの台紙体に一体に設けてなるものを挙げることができる。
【００１１】
規制部そのものが動いてしまうことを簡単に防止するには、前記台紙体が収納袋内に略移動不能に収納されるものが好ましい。
【００１２】
具体的に収納物の外観、特に突出部を隠すことなく見せ、需要者の購買意欲を阻害しないようにするには、収納袋の表側及び裏側のいずれ側からみても、前記突出部の少なくとも一部が外観し得るように設定しているものが好適である。
【００１３】
製造面において好適な具体的実施態様としては、一枚の所定形状をなすシート状基材を、その所要箇所において折り曲げることにより形成しているものを挙げることができる。
【００１４】
本発明の効果が特に顕著に奏される収納物としては、その突出部が可撓性を有するものを挙げることができる。
【００１５】
【発明の実施の形態】
以下、本発明の実施形態を、図面を参照して説明する。なお、後述する実施形態中、「縦」、「横」という方向を表す表現は便宜上のものであって、部材の配置態様によって異なるため絶対的な方向を示すものではない。
＜第１実施形態＞
本実施形態に係る保持部材３は、図１〜図４に示すように、収納物１とともに、少なくとも一部が透明な収納袋２に外観可能に収納されるものである。
【００１６】
まず収納物１及び収納袋２について説明する。
【００１７】
本実施形態における収納物は、図１に示すように、例えば、ブックケース１である。なお、ブックケース１に予めファイルＦを収容してなるものを収納物としてもよいし、ブックケース以外のものでもよいのはもちろんである。
【００１８】
このブックケース１は、収納物本体たるケース本体１１と、このケース本体１１から突出する突出部１２とを備える。ケース本体１１は、定形型、より具体的には矩形平板状をなす中空樹脂製のもので、その一側面を開口させ、この開口１１１から対応する大きさを有するファイルＦ（図４に示す）を出し入れできるようにしたものである。より具体的にこのものは、矩形シート状をなす表装部１１２と裏装部１１４とをファイルＦの厚み分だけ離間させて対向させ、それらの反開口側の縦辺同士を背装部１１３を介して一体に結合するとともに、それらの短辺同士を頂装部１１５及び底装部１１６を介して一体に結合したものである。
【００１９】
突出部１２は、開口端縁１１１ａの縦方向中央部から前記表装部１１２及び裏装部１１４と一体に突出させた一対のつまみ片１２１、１２２からなるもので、可撓性を有する。これらつまみ片１２１、１２２は、それぞれ横方向に長い帯状のものであり、その先端部にはホックＨ１、Ｈ２を取り付けてある。そして各つまみ片１２１、１２２の先端部同士を前記ホックＨ１、Ｈ２を利用して分離可能に接合できるように構成してある。かかる突出部１２は、このブックケース１を書棚から引き出す際のつまみ等として利用するためのものである。
【００２０】
収納袋２は、図１に示すように、透明樹脂製の矩形状をなすもので、収納空間を有した袋本体２１と、袋本体２１の上側に一体に設けられた縁部２２とからなる。しかして前記収納空間の横寸法は、前記ブックケース１の最大横寸法、すなわちケース本体１１の横寸法とそこから突出する突出部１２の突出寸法との和と略同一又はそれよりもやや大きく設定してある。また縦寸法は、前記ブックケース１の最大縦寸法略同一又はそれよりもやや大きく設定してある。一方、縁部２２には例えばその中央に貫通孔２２ａが形成してあって、陳列台のフック等に引っ掛け得るように構成してある。
【００２１】
しかして本実施形態における保持部材３は、図２に示すように、ブックケース１の裏側面板部たる裏装部１１４と収納袋２との間に挿入されるシート状の台紙体４と、この台紙体４に一体に設けられ、前記ブックケース１の収納袋２内での横方向の動きを主として規制する規制部５と、この台紙体４に一体に設けられ、前記ブックケース１の収納袋２内での下方向及び厚み方向の動きを主として規制する受け部８とを具備する。これら台紙体４、規制部５及び受け部８は、図３に示すように、所定形状に加工された１枚の厚手の紙製基材６を所要箇所で折り曲げることにより形成される。なお、この図３は基材６を表側から見た状態を表している。そして通常、収納物１の性能や宣伝、イラスト等はこの基材６の裏面に予め印刷してある。この基材６は、図３に示すように、形状的には矩形部分６ａと、この矩形部分６ａの下辺から縦に突出する縦帯状部分６ｂとからなる。そして前記矩形部分６ａが台紙体４を形成するための台紙体形成部６１及び規制部５を形成するための規制部形成部６２を構成し、前記縦帯状部分６ｂが前記受け部８を形成するための受け部形成部６３を構成する。矩形部分６ａにはその側辺６ａ１から内方に向かって切込み６４、６５が平行に２本設けてあって、これら切込み６４、６５により挟まれた部分を前記規制部形成部６２とし、他の部分を前記台紙体形成部６１としている。
【００２２】
しかして前記台紙体４は、前記台紙体形成部６１の一部を表側に折り返して形成した概略矩形状をなすものである。より具体的には台紙体形成部６１を、その側辺６ａ１から所定寸法内方に設定した縦に延びる折り目Ｔに沿って表面から見て谷折りすることにより形成してなる。
【００２３】
したがって、図２に示すように、この台紙体４において折り返し部分４１のある領域が２枚のシートからなり、他の領域が１枚のシートからなることとなる。なお、図３に示すように、前記折り目Ｔの前記側辺６ａ１からの離間寸法、すなわち折り返し部分４１の横寸法は、前記突出部１２の突出寸法と略同一又はそれ以上に設定してあり、前記切込み６４、６５の基端もこの折り目Ｔに合致するように設定してある。
【００２４】
かかる台紙体４の横寸法及び縦寸法は、ブックケース１とともに収納袋２に入れたとき、その収納空間内で少なくとも縦横方向にはほぼ隙間なく入り込む大きさに設定してある。すなわち本実施形態においてその横寸法は、前記ブックケース１の最大横寸法（ケース本体１１の横寸法とそこから突出する突出部１２の突出寸法との和）と略同一に設定してあり、その縦寸法は前記ブックケース１の最大縦寸法と略同一に設定してある。
【００２５】
さらに、この台紙体４における折り返し部分４１側の縦辺４ａには、その中央部に前記切欠きＫを設けている。この切欠きＫは、前記台紙体形成部６１における折り目Ｔの縦方向中央部に、当該折り目Ｔに跨るように設けた貫通孔６６によって形成されるものである。そしてその最深部から前記縦辺４ａまでの寸法は、前記突出部１２の突出寸法と略同一又はそれ以上としてあり、台紙体４とブックケース１とを重合させて収納袋２に入れた場合に、その切欠きＫによってブックケース１の突出部１２が裏側からでも外観可能なように構成している。なお、本実施形態において前記切欠きＫは半円形状をなすものであるが、もちろん他の形状でもかまわない。
【００２６】
一方、規制部５は、前記規制部形成部６２をその所要箇所に縦に設けた複数の折り目に沿って折り曲げることにより形成してなるものである。より具体的には、図３に示すように、前記規制部形成部６２の基端に第１の折り目Ｔ１を設けるとともに、さらにそこから外方に離間させて順に第２、第３の折り目Ｔ２、Ｔ３を設けておき、表から見て第１、第２の折り目Ｔ１、Ｔ２を谷折にするとともに第３の折り目Ｔ３を山折にすることにより形成している。そして突出部１２に干渉しない位置、すなわち前記台紙体４に形成した切欠きＫを避けた位置よりもやや下側に配してある。
【００２７】
しかして第１の折り目Ｔ１と第２の折り目Ｔ２との間の部分を、ケース本体１１における突出部１２側の辺部たる開口端縁１１１ａ及び前記開口端縁１１１ａに対向する収納袋２の辺部内面２ａの間に介在する介在部５１としている。この介在部５１は、台紙体４の縦辺４ａから内方に向かって徐々にせりあがる傾斜したものである。また第２の折り目Ｔ２と第３の折り目Ｔ３との間の部分を、前記介在部５１の先端から台紙体４に向かって鉛直に垂下する起立部５２とする一方、第３の折り目Ｔ３より先端側の部分を、前記起立部５２の先端から台紙体４の表面に添接しつつ内方に延伸する添接部５３としている。本実施形態では、この添接部５３を台紙体４に固定する固定構造７をさらに設け、当該添接部５３を台紙体４に固定するとともに規制部５全体の位置決め固定を行えるようにしている。この固定構造７は、台紙体４又は添接部５３のいずれか一方（本実施形態では添接部５３）に設けた例えば部分円弧状の切込みに囲まれてなる舌片７１を、他方（本実施形態では台紙体４）の対応箇所に設けた差込孔７２に差し込んでなるものである。
【００２８】
このように構成した規制部５において、前記起立部５２の外面５２ａが、ケース本体１１の開口端縁１１１ａに接触又は近接する本体接触部位としての役割を果たし、前記介在部５１の基端縁５１ａが、前記収納袋２の辺部内面２ａに接触又は近接する袋接触部位としての役割を果たす。
【００２９】
受け部８は、受け部形成部６３の基端に横に設けた第４の折り目Ｔ４及びその下方に設けた第５の折り目Ｔ５に沿って表からみてそれぞれ直角に谷折することにより形成している。しかして第４の折り目Ｔ４と第５の折り目Ｔ５との離間寸法は、ケース本体１１の厚み寸法と略同一に設定してある。
【００３０】
そしてかかる保持部材３は、その台紙体４をブックケース１に重合させた状態、より具体的には、台紙体４の表面とブックケース１の裏装部１１４とを対向させて接触又は近接させた状態で、当該ブックケース１とともに収納袋２内に収納され、例えば売り場の陳列台に展示される。
【００３１】
したがって、このようなものであれば、ブックケース１に突出部１２があることにより生じる隙間、すなわちブックケース１の開口端縁１１１ａとその開口端縁１１１ａに対向する収納袋２の辺部内面２ａとの間の隙間の一部に規制部５が介在することとなるので、前記ブックケース１の収納袋２内での動きが規制され、当該ブックケース１を収納袋２内で一定の姿勢で保持し得る。また、単に規制部５が介在するだけなので、ブックケース１にテープ跡が残ったりすることもない。さらに規制部５を前記突出部１２とは重合しない位置に配置したうえで、台紙体４に切欠きＫを設け、この突出部１２を表裏いずれからも外観可能としているため、このブックケース１のように突出部１２に特徴あるような製品において、需要者へのアピールを阻害することなく、展示に特に好適なものとなる。
【００３２】
またこの保持部材３が一枚の基材６を折り曲げるだけで形成できるため、製造が非常に簡単なものとなる。
【００３３】
さらに、上記基本的効果に加え、特に本実施形態では、この基材６の裏面に予め広告宣伝や製品説明、イラスト等の収納物関連事項を印刷しているところ、その裏面が一部折り返されて台紙体４の表面を構成し、その折り返し部分４１が前記隙間の領域と合致することとなる。したがって、基材６を片面印刷するだけで、保持部材３としてブックケース１とともに収納袋２に収納した場合に、台紙体４における表側から見える有効な領域、すなわち前記隙間に印刷面が表れ、展示、陳列等に極めて好適なものとなる。
【００３４】
加えて、介在部５１が傾斜しているため、この介在部５１の表面は正面からも側面からも視認可能である。したがってその表面に広告宣伝や製品名、イラスト等の収納物関連事項を印刷しておけば、例えば横或いは縦に積み重ねて棚に陳列したときでも、その収納物の概容等について、この介在部５１を側方から見て知ることが可能となる。
＜第２実施形態＞
次に本発明の第２実施形態を、図５〜図８を参照して説明する。なお、前記第１実施形態と対応する部材には同一の符号を付すこととする。
【００３５】
本実施形態における収納物たるブックケース１及び収納袋２に関しては、前記第１実施形態と同様であるのでその説明を省略する。
【００３６】
しかして本実施形態での保持部材３は、第１実施形態同様、ブックケース１の裏側面板部たる裏装部１１４と収納袋２との間に挿入されるシート状の台紙体４と、この台紙体４に一体に設けられ、前記ブックケース１の収納袋２内での横方向の動きを主として規制する規制部５と、この台紙体４に一体に設けられ、前記ブックケース１の収納袋２内での下方向及び厚み方向の動きを主として規制する受け部８とを具備する。これら台紙体４、規制部５及び受け部８は、図に示すように、所定形状に加工された１枚の厚手の紙製基材６を所要箇所で折り曲げることにより形成される。
【００３７】
この基材６は、図７に示すように、形状的には矩形部分６ａと、この矩形部分６ａの側辺６ａ１中央部から側方に突出する横帯状部分６ｃと、前記矩形部分６ａの下辺から下方に突出する縦帯状部分６ｂとからなる。そして前記矩形部分６ａ及び横帯状部分６ｃが、台紙体４を形成するための台紙体形成部６１及び規制部５を形成するための規制部形成部６２を構成し、前記縦帯状部分６ｂが前記受け部８を形成するための受け部形成部６３を構成する。具体的には、前記矩形部分６ａに、横帯状部分６ｃの上辺及び下辺に連続させて内方に向かう切込み６４、６５が平行に２本設けてあり、これら切込み６４、６５により挟まれた部分及び前記横帯状部分６ｃを前記規制部形成部６２とし、その他の部分を台紙体形成部６１としている。
【００３８】
しかして前記台紙体４は、前記台紙体形成部６１そのものがそれに相当する。したがって本実施形態において台紙体４は１枚の折り曲げていないシート（厚紙）からなる。かかる台紙体４の横寸法及び縦寸法は、第１実施形態同様であるので説明は省略する。
【００３９】
一方、規制部５は、前記規制部形成部６２をその所要箇所に縦に設けた複数の折り目に沿って折り曲げることにより形成してなるもので、図５、図６に示すように、台紙体４における一方の側辺４ａ側の中央部に配している。より具体的には前記規制部形成部６２の基端に第１の折り目Ｔ１を設けるとともに、さらにそこから外方に離間させて第２の折り目Ｔ２を設けておき、表面から見て第１の折り目Ｔ１を谷折にするとともに第２の折り目Ｔ２を山折にすることにより形成している。そして、第１の折り目Ｔ１と第２の折り目Ｔ２との間の部分を台紙体４から鉛直に起立する起立部５２とし、第２の折り目Ｔ２より先端側の部分を、外方に向かって徐々に下がっていく介在部５１としている。
【００４０】
しかして、図８に示すように、前記起立部５２の外面５２ａが、ケース本体１１における突出部１２側の辺部、すなわち開口端縁１１１ａに接触又は近接する本体接触部位としての役割を果たし、前記介在部５１の先端５１ａが、前記開口端縁１１１ａに対向する前記収納袋２の辺部内面２ａに接触又は近接する袋接触部位としての役割を果たすようにしている。
【００４１】
一方、前記規制部形成部６２の縦方向中央部には、前記第２の折り目Ｔ２に跨るように貫通孔６６が設けてあって、この貫通孔６６によって、起立部５２及び介在部５１にそれぞれ切欠きＫが形成されるようにしている。そして、起立部５２側に形成された切欠きＫがブックケース１の突出部１２を起立部５２に干渉させることなく挿通させる挿通孔の役割を果たすとともに、介在部５１側に形成された切欠きＫが、台紙体４とブックケース１とを重合させて収納袋２に入れた場合に前記突出部１２の少なくとも一部を裏側からでも外観可能とする窓の役割を果たすようにしている。
【００４２】
受け部８は、前記第１実施形態と同様であるので、その説明は省略する。
【００４３】
そしてかかる保持部材３は、第１実施例同様、その台紙体４をブックケース１に重合させた状態、より具体的には、台紙体４の表面とブックケース１の裏装部１１４とを対向させて接触又は近接させた状態で、図５に示すように当該ブックケース１とともに収納袋２内に収納され、例えば売り場の陳列台に展示される。
【００４４】
したがって、このようなものであれば、第１実施形態同様の基本効果を奏するとともに、規制部５が突出部１２の両側の辺部１１１ａに接触又は近接することとなるので、より安定にブックケース１を保持し得る。
＜第３実施形態＞
次に本発明の第３実施形態を、図９〜図１２を参照して説明する。なお、前記第１、第２実施形態と対応する部材には同一の符号を付すこととする。
【００４５】
本実施形態におけるブックケース１及び収納袋２に関しては、前記第１、第２実施形態と同様であるのでその説明を省略する。
【００４６】
しかして本実施形態での保持部材３は、図９、図１０に示すように、第１、第２実施形態同様、ブックケース１の面板部たる裏装部１１４と収納袋２との間に挿入されるシート状の台紙体４と、この台紙体４に一体に設けられ、前記ブックケース１の収納袋２内での横方向の動きを主として規制する規制部５と、この台紙体４に一体に設けられ、前記ブックケース１の収納袋２内での下方向及び厚み方向の動きを主として規制する受け部８とを具備する。これら台紙体４、規制部５及び受け部８は、図１１に示すように、所定形状に加工された１枚の厚手の紙製基材６を所要箇所で折り曲げることにより形成される。この基材６は、形状的には矩形部分６ａとこの矩形部分６ａの側辺６ａ１中央部から側方に突出する横帯状部分６ｃと、前記矩形部分６ａの下辺から下方に突出する縦帯状部分６ｂとからなる。そして前記矩形部分６ａ及び横帯状部分６ｃが、台紙体４を形成するための台紙体形成部６１及び規制部５を形成するための規制部形成部６２を構成し、前記縦帯状部分６ｂが前記受け部８を形成するための受け部形成部６３を構成する。前記矩形部分６ａには、横帯状部分６ｃの上辺及び下辺に連続させて内方に向かう切込み６４、６５が平行に２本設けてあって、これら切込み６４、６５により挟まれた部分及び前記横帯状部分６ｃを前記規制部形成部６２とし、その他の部分を台紙体形成部６１としている。
【００４７】
しかして前記台紙体４は、前記台紙体形成部６１そのものがそれに相当する。したがって本実施形態において台紙体４は１枚の折り曲げていないシート（厚紙）からなる。かかる台紙体４の横寸法及び縦寸法は、第１実施形態同様であるので説明は省略する。
【００４８】
一方、規制部５は、前記規制部形成部６２をその所要箇所に縦に設けた複数の折り目に沿って折り曲げることにより形成してなるもので、図９、図１０に示すように、台紙体４における一方の側辺４ａ側の中央部に配している。より具体的には前記規制部形成部６２の基端に第１の折り目Ｔ１を設けるとともに、さらにそこから外方に離間させて順に第２、第３の折り目Ｔ３を設けておき、表面から見て第１、第２の折り目Ｔ２を谷折にするとともに第３の折り目Ｔ３を山折にすることにより形成している。そして第１の折り目Ｔ１と第２の折り目Ｔ２との間の部分を台紙体４の縦辺から内方に向かって徐々にせりあがる介在部５１とし、第２の折り目Ｔ２と第３の折り目Ｔ３との間の部分を前記介在部５１の先端から台紙体４に向かって鉛直に垂下する起立部５２としている。また第３の折り目Ｔ３より先端側の部分を、前記起立部５２の先端から台紙体４に沿って内方に延伸する添接部５３としている。本実施形態でこの添接部５３は、単に台紙体４表面の添接するだけであるが、第１実施形態同様、添接部５３を台紙体４に固定する固定構造７を設けてもよい。
【００４９】
しかして、前記起立部５２の外面５２ａがケース本体１１における突出部１２側の辺部、すなわち開口端縁１１１ａに接触又は近接する本体接触部位としての役割を果たし、前記介在部５１の先端５１ａが、前記開口端縁１１１ａに対向する前記収納袋２の辺部内面２ａに接触又は近接する袋接触部位としての役割を果たすようにしている。
【００５０】
さらに、この規制部形成部６２の縦方向中央部には、前記第２の折り目Ｔ２に跨るように貫通孔６６が設けてあって、前記貫通孔６６によって、起立部５２及び介在部５１にそれぞれ切欠きＫが形成されるようにしている。そして第２実施形態同様、起立部５２の切欠きＫがブックケース１の突出部１２を起立部５２に干渉させることなく挿通させる挿通孔の役割を果たすとともに、介在部５１の切欠きＫが、台紙体４とブックケース１とを重合させて収納袋２に入れた場合に前記突出部１２の少なくとも一部を裏側からでも外観可能とする窓の役割を果たすようにしている。
【００５１】
受け部８は、前記第１、第２実施形態と同様であるので、その説明を省略する。
【００５２】
したがって、このようなものであれば、第１実施形態同様の基本効果を奏するとともに、規制部５が突出部１２の両側の辺部１１１ａに接触又は近接することとなるので、より安定にブックケース１を保持し得る。
【００５３】
なお、本発明は前記各実施形態に限られるものではない。例えば突出部の位置は辺部中央に限られるものではないし、一の辺部から唯一突出部が突出するような態様に限られるものでもない。例えば複数の辺部それぞれから、一又は複数の突出部が突出するような収納物にも本発明を適用して同様の作用効果を奏する。保持部材も、紙に限られず、樹脂製のものでも構わないし、台紙体と規制部とが別体で製造され、組み合わされるようなものでもよい。また、必ずしも台紙体が必須のものではなく、規制部のみで保持部材が構成されるような態様や、台紙体に代わる別の部材があっても構わない。その他本発明はその趣旨を逸脱しない範囲で種々変形が可能である。
【００５４】
【発明の効果】
以上に詳述したように、本発明によれば、収納物に突出部があることにより生じる隙間、すなわち突出部を有する辺部とその辺部に対向する前記収納袋の辺部内面との間に規制部が介在することとなるので、前記収納物の収納袋内での動きが規制され、当該収納物を収納袋内で一定の姿勢で保持し得る。また、単に規制部が介在するだけであるので収納物にテープ跡が残ったりすることもない。さらに規制部が前記突出部を所定方向から外観して隠さないため、例えば突出部に特徴あるような収納物において需要者へのアピールを阻害することなく特に好適なものとなる。
【図面の簡単な説明】
【図１】本発明の第１実施形態における保持部材を収納した状態を示す全体斜視図。
【図２】同実施形態における保持部材を示す全体斜視図。
【図３】同実施形態における基材を示す平面図。
【図４】同実施形態における保持部材の規制部で切った部分縦断面図。
【図５】本発明の第２実施形態における保持部材を収納した状態を示す全体斜視図。
【図６】同実施形態における保持部材を示す全体斜視図。
【図７】同実施形態における基材を示す平面図。
【図８】同実施形態における保持部材の規制部で切った部分縦断面図。
【図９】本発明の第３実施形態における保持部材を収納した状態を示す全体斜視図。
【図１０】同実施形態における保持部材を示す全体斜視図。
【図１１】同実施形態における基材を示す平面図。
【図１２】同実施形態における保持部材の規制部で切った部分縦断面図。
【符号の説明】
１・・・収納物
１１・・・収納物本体（ケース本体）
１１１ａ・・・辺部（開口端縁）
１１４・・・面板部（裏装部）
１２・・・突出部
２・・・収納袋
２ａ・・・辺部内面
３・・・保持部材
４・・・台紙体
５・・・規制部
５２ａ・・・本体接触部位
５１ａ・・・袋接触部位
６・・・基材
【図１】
2004010140.tif 000003
【図２】
2004010140.tif 000004
【図３】
2004010140.tif 000005
【図４】
2004010140.tif 000006
【図５】
2004010140.tif 000007
【図６】
2004010140.tif 000008
【図７】
2004010140.tif 000009
【図８】
2004010140.tif 000010
【図９】
2004010140.tif 000011
【図１０】
2004010140.tif 000012
【図１１】
2004010140.tif 000013
【図１２】
2004010140.tif 000014